(57)【要約】【課題】  親指部の靴下の構成を工夫することで、運動の際に体重が掛かる力を足の親指に伝わり易くする。それによって、足の親指を効果的に使うこととなり、裸足に近いバランスのとれた直立や歩行を可能となる靴下を提供する。さらに、誰もが日常的に使え、長期に渡って継続して使用できるものであって、浮き指、外反母趾、偏平足、Ｏ脚を予防するとともに、これらの足の症状を改善することができる靴下を提供する。【解決手段】  靴下１であって、足裏３に当接する編組織４のうち、親指５の下面に当接する部分の編組織６が、周囲の編組織４よりも厚く形成される。【選択図】        図１
2020097798.tif 000002
【特許請求の範囲】
【請求項１】
靴下であって、
足裏に当接する編組織のうち、親指の下面に当接する部分の編組織が、周囲の編組織よりも厚く形成されることを特徴とする靴下。
【請求項２】
前記靴下は、親指に当接する部分とそれ以外の指に当接する部分とに二股に分かれた足先部を有することを特徴とする、請求項１に記載された靴下。
【請求項３】
前記靴下は、５本指がそれぞれ当接する５つの部分に分かれた足先部を有することを特徴とする、請求項１に記載された靴下。
【発明の詳細な説明】
【技術分野】
【０００１】
本発明は、靴下に関し、特に健康や美容、各種スポーツなどの分野の使用において特有の効果を有する靴下に関する。
【背景技術】
【０００２】
靴やスリッパなどを履いて生活するのが日常的となった現代人は、足指の動きが制限されたり足裏の刺激が不足したりすることなどによって、浮き足、外反母趾、偏平足、О脚といった症状を抱える人が増えてきている。
【０００３】
上記の症状の発生を回避し、あるいは症状を改善するためには、足の親指を効果的に使うことが有効とされている。足の親指を効果的に使うことにより、裸足に近いバランスのとれた直立や歩行が可能となる。そのため、足の親指を積極的に使うことを目的とした装具や靴下の発明がなされている。
【０００４】
足の親指の付け根を覆い、親指に弾性的に密着可能な装着孔を軸方向に設けたリング本体と、該リング本体の開口部外表面に一体成形した環状リブと、前記リング本体の外表面に一体的に突設され履物と親指間の圧接に応じて弾性変形すると共に変形時の応力を前記装着孔に伝達可能な感応突部とからなる足指用サポートリングが提案されている（特許文献１）。
【０００５】
靴下は人体足部を中心に脚部を覆うことで、下肢の保護や歩行動作を補助する役割がある。この役割の効果を更に上げるため、靴下における足の裏に当接する部分の親指の下面に対面する部分の編地が、該編地の周囲の部分の編地よりも薄い力伝導部を形成している靴下が提案されている（特許文献２）。
【０００６】
また、同じ靴下に関する発明として、足の親指とボールガース部に当たる指骨部との接触域の内側と外側との対称的な位置に滑り止め部を設けた歩行サポート靴下が提案されている（特許文献３）。
【先行技術文献】
【特許文献】
【０００７】
【特許文献１】特開２００７―１６７１２２号公報
【特許文献２】特許第４６６９２９５号公報
【特許文献３】特開２０１７―２０１４９号公報
【発明の概要】
【発明が解決しようとする課題】
【０００８】
しかし、特許文献１に記載された足指用サポートリングは、装着していると汗で蒸れやすく、汗によって滑りやすくなる欠点がある。また、足指用サポートリングが接触する親指の皮膚表面が靴擦れを起こす可能性もある。
【０００９】
特許文献２に記載された靴下は、靴下における足の裏に当接する部分の親指の下面に対面する部分の編地が該編地の周囲の部分の編地よりも薄いので、力を伝えるためには、意識的に親指を足裏側に曲げる必要がある。これも、短時間であれば効果が見込めるものの、長時間の使用においては親指周辺の筋肉が疲労する。
【００１０】
特許文献３に記載された歩行サポート用靴下は、短時間の激しい運動をする場合の滑りやすい条件での使用には一定の効果は得られるものの、日常生活での長時間の着用では滑り止め部と接触する足裏部の皮膚が摩擦に耐えられない恐れがある。
【００１１】
そこで、本発明は、親指部の靴下の構成を工夫することで、運動の際に体重が掛かる力を足の親指に伝わり易くすることによって、足の親指を効果的に使うこととなり、裸足に近いバランスのとれた直立や歩行を可能となる靴下を提供することを目的とする。そして、その使用において、親指の周辺の筋肉が疲労したり、摩擦により靴擦れが起きたりする恐れのない靴下を提案する。
【課題を解決するための手段】
【００１２】
第１の発明の靴下は、足の裏に当接する編組織のうち、親指の下面に当接する部分の編組織が、周囲の編組織よりも厚く形成されることを特徴とする。
【００１３】
第１の発明の靴下は、親指の下面に当接する部分の編組織が周囲の編組織よりも厚いため、歩行・走行等の際に体重が足の親指にかかり易くなる。そのため、足の親指を効果的に使うこととなり、裸足に近いバランスのとれた直立や歩行が可能となる。
【００１４】
第２の発明の靴下は、第１の発明に加え、親指に当接する部分とそれ以外の指に当接する部分とに二股に分かれた足先部を有することを特徴とする。
【００１５】
第２の発明の靴下は、親指に当接する部分とそれ以外の指に当接する部分とに二股に分かれているので、靴下を履いた際に靴下の厚い部分の編組織が確実に親指の下面に当接する。そして、足の親指が靴下の二股に分かれた親指部分に被覆されているので、運動中に靴下の厚い部分の編組織が親指の下面からずれにくい。
【００１６】
第３の発明の靴下は、第１の発明に加え、５本指がそれぞれ当接する５つの部分に分かれた足先部を有することを特徴とする。
【００１７】
第３の発明の靴下は、５本指がそれぞれ当接する５つの部分に分かれた足先部を有するので、靴下を履いた際に靴下の厚い部分の編組織が確実に親指の下面に当接する。そして、足の五本指が靴下の５つに分かれた足先部によってそれぞれ被覆されているので、運動中に靴下の厚い部分の編組織が親指の下面からずれにくい。
【発明の効果】
【００１８】
本発明の靴下は、親指の下面に対面する部分の編組織が周囲の編組織よりも厚いため、歩行・走行等の際に体重が足の親指にかかり易くなる。そのため、足の親指を効果的に使うこととなり、裸足に近いバランスのとれた直立や歩行が可能となる。また、本発明の靴下は、誰もが日常的に使えるものであり、長期に渡って継続して使用できるものであるので、浮き指、外反母趾、偏平足、Ｏ脚を予防するとともに、これらの足の症状を改善することができる。
【図面の簡単な説明】
【００１９】
【図１】第１の実施の形態に係る靴下を示す図である。
【図２】地面に直立しているときの体重が足を経由して地面に伝わる様子を図示したものである。
【図３】体重の掛かる位置及び重心を足の甲側から見た図である。
【図４】通常の靴下及び本発明に係る靴下について計測装置を用いて実証した比較結果を示す図である。
【図５】歩く時の足に掛かる体重の状態を比較した図である。
【図６】歩行時におけるふくらはぎの筋肉の活動量について計測装置を用いて実証した比較結果を示す図である。
【図７】本発明の靴下を着用することによりストライドが向上すること示す実測波形データである。
【図８】第２の実施の形態に係る靴下を示す図である。
【図９】親指部分を厚く製造する方法の一例である。
【図１０】第３の実施の形態に係る靴下を示す図である。
【発明を実施するための形態】
【００２０】
（第１の実施の形態）
図１（ａ）は、足２に履かれた第１の実施の形態に係る靴下１を示している。図１（ｂ）は、図１（ａ）におけるＡ矢視図である。靴下１は、その全体がメリヤスの３原組織である、プレーン編（平編）、リブ編（ゴム編）、パール編（ガーター編）の基本編組織が、単独で、あるいは組合せられて使用されている。
【００２１】
靴下１は、足裏３に当接する編組織４のうち、親指５の下面に当接する部分の編組織６が、周囲の編組織４よりも厚く形成されている。以降、親指５の下面に当接する部分の編組織６を、「親指下編組織６」と呼ぶ。
【００２２】
親指下編組織６の編成方法としては、厚みを持たせる部位にそれ以外の部位に使用する糸以外の糸を挿入する方法がある。例を挙げると、カットボスなどである。また、厚みを持たせる部位に編み込まれる伸縮性の高い糸をタック又はミスをすることで凹凸のある組織ができ、見かけの厚みを厚くする方法がある。例をあげると、フロート編などである。また、厚みを持たせる部位を構成する糸のパイル長を長くすることで厚みを出す方法がある。また、親指下編組織６の組織を二重や三重に重ねるようにしてもよい。
【００２３】
さらには、樹脂等でコーティングをする方法もある。この場合は、フェルトやポリウレタン、シリコーン、エラストマー、ゴムなどを張り付けたり挟み込んだりすればよい。なお、親指下編組織６の厚みについては、装着する人の足の形状やその人の好み、用途などに応じて調節する。
【００２４】
第１の実施の形態に係る靴下１の作用効果を以降に説明する。
【００２５】
図２（ａ）は、裸足で地面７に直立しているときの体重が足２を経由して地面７に伝わる様子を図示している。下向きの矢印８は伝わる体重を表している。体重は、足裏３の踵１０、小趾球１１、親指５の３カ所に分散されて地面７に伝わっている。この裸足の３点支持状態だと、片足立ちしてもバランスを保持することができる。
【００２６】
図３（ａ）は、裸足で地面に直立しているときの体重の掛かる位置及び重心を足の甲側から見た図である。体重は、足裏３の踵１０、小趾球１１、親指５で形成される三角形１４の３つの頂点に分散されて地面に伝わる。そして、重心１５は三角形１４の内部に位置している。重心１５は、足裏３のほぼ中心に位置しており、これからも、バランスの良い状態が分かる。
【００２７】
図２（ｂ）は、通常の靴下１３を履いて底の軟らかい靴１７（又はスリッパ）などを履いて地面７に直立している状態を示している。この状態では、体重の大半が踵１０と小趾球１１に掛かるため、重心が外側かつ後ろ側によってしまい親指５が浮き上がってしまう。親指５と小趾球１１と踵１０の三点で体重を受けることができなければ、身体のバランスを保持することが難しくなり、転倒や躓きなどの原因になる。
【００２８】
図３（ｂ）は、このときの体重の掛かる位置及び重心を足の甲側から見た図である。体重は、足裏３の踵１０と小趾球１１を経由して地面７に伝わっている。そして、重心１５は踵１０と小趾球１１を結ぶ直線１６上に位置している。重心１５は、足裏３の中心から外側にずれておりバランスを失っていることが判る。この不自然な状態が継続すると、浮き足、外反母趾、偏平足、О脚といった症状につながる恐れがある。
【００２９】
図２（ｃ）は、実施の形態に係る靴下１を履いたうえで、底の軟らかい靴１７（又はスリッパ）などを履いて地面７に直立している状態を示している。足裏３に当接する編組織４のうち、親指下編組織６が周囲の編組織４よりも厚く形成されているので、踵１０及び小趾球１１に加え、親指５も経由して体重が地面７に伝わる。
【００３０】
図３（ｃ）に示されるように、本発明の靴下１を履くことにより、体重は、足裏３の踵１０、小趾球１１、親指５で形成される三角形１４の３つの頂点に分散されて地面７に伝わる。そして、重心１５は三角形１４の内部に位置している。これからも、本発明の靴下１を履くことにより、裸足と同様のバランスの良い状態となることが分かる。
【００３１】
図４は、上述した通常の靴下１３を履いた状態（図３（ｂ）参照）、及び本発明に係る靴下１を履いた状態（図３（ｃ）参照）について、計測装置を用いて実証した比較結果を示す。
足の裏に係る荷重分布データ測定の詳細は下記の通りである。
（試験日）２０１８年６月２７日
（試験場所）広島県立総合技術研究所  西部工業技術センター  生産技術アカデミー
（使用機器）インソール型圧力分布測定装置  ＦＳＡ  ＶＡＲＧ社製
【００３２】
図４（ａ）は、通常の靴下１３を履いたときの圧力分布である。圧力が高い状態を示す濃い色の部分は踵１０と小趾球１１の２カ所となっている。親指５の部分は若干の縞模様はあるものの色は薄く、十分な圧力が発生していないことが判る。
【００３３】
一方、図４（ｂ）本発明に係る靴下１を履くことにより、親指５の部分に踵１０及び小趾球１１と同程度の圧力分布が発生している。この計測結果からも、図２（ｃ）及び図３（ｃ）で説明した本発明に係る靴下１の効果が実証されている。
【００３４】
歩行の際、足の裏にかかる体重は踵から小趾球、親指へと移行する。この最後のタイミングで親指５が地面を蹴ることで大きな推力が生まれる。図５（ａ）は、裸足では自然と行なわれている一連の動きを示している。
【００３５】
図５（ｂ）は、通常の靴下１３を履いたのち靴１７を履いて歩行する状態を示している。裸足では自然と行える一連の動きも、靴１７を履くことによって親指５に力が入り難くなっており、小趾球１１だけで地面７を蹴っている。
【００３６】
図５（ｃ）は、本発明の靴下１を履いたのち靴１７を履いて歩行する状態を示している。小趾球１１のみならず、親指５によっても地面７を蹴っている。本発明に係る靴下１は親指５に体重が掛かるのを補助する働きがあり、例え靴１７を履いていても裸足で歩行するのに近い感覚で歩行できる。
【００３７】
図６は、歩行時におけるふくらはぎの筋肉の活動量について計測装置を用いて実証した比較結果を示す。
ふくらはぎの筋肉の活動量データ測定の詳細は下記の通りである。
（試験日）２０１８年６月２７日
（試験場所）広島県立総合技術研究所  西部工業技術センター  生産技術アカデミー
（使用機器）バイオログ多用途テレメーター筋電計  ＤＬ−５０００（ソフト：ＴＲＩＡＳ２）Ｓ＆ＭＥ社製
【００３８】
図６（ａ）は腓腹筋について、裸足、通常の靴下及び本発明の靴下での全波整流平均値（ｍＶ）のグラフを示している。同様に図６（ｂ）は前脛骨筋について、裸足、通常の靴下及び本発明の靴下での全波整流平均値（ｍＶ）のグラフを示している。
【００３９】
図６（ａ）及び図６（ｂ）から明らかなように、通常の靴下では裸足に比べ活動量が低下する。しかし、本発明の靴下では裸足に近い値を示した。これは、本発明の靴下を履けば足の親指が効果的に使えたためであり、歩行時の推進力が増したことを示している。
【００４０】
図７は、歩行時におけるストライドの変化について計測装置を用いて実証した比較結果を示す。
ストライド測定の詳細は下記の通りである。
（試験日）２０１８年６月２７日
（試験場所）広島県立総合技術研究所  西部工業技術センター  生産技術アカデミー
（使用機器）バイオログ多用途テレメーター筋電計  ＤＬ−５０００（ソフト：ＴＲＩＡＳ２）Ｓ＆ＭＥ社製
【００４１】
図７は、速度５ｋｍ／ｈのウォーキングマシーンを歩いたときの実測の波形データである。１パルス２歩で９パルス計測した時の経過時間を示している。
【００４２】
図７の上側の波形は通常の靴下を履いた場合である。９パルスに要する時間は９．３０秒であった。したがって、９．３０秒で１８歩進んだことになり、１歩あたりでは９．３０÷１８＝０．５１７秒／歩となる。ストライドは、０．５１７×（５×１０００÷３６００）＝０．７１８ｍ／歩となる。
【００４３】
図７の下側の波形は本発明の靴下を履いた場合である。９パルスに要する時間は９．７４秒であった。したがって、９．７４秒で１８歩進んだことになり、１歩あたりでは９．７４÷１８＝０．５４１秒／歩となる。ストライドは、０．５４１×（５×１０００÷３６００）＝０．７５２ｍ／歩となった。
【００４４】
結果、０．７５２÷０．７１８＝１．０５となり、本発明の靴下を着用することによってストライドは５％向上した。
【００４５】
足の裏にはメカノセプターと呼ばれる感覚受容器があり、真っ直ぐ立っているか、左右のどちらかに傾いていないかといった情報を足の裏から感じ取っている。メカノセプターは親指部に集中しており、本発明の靴下１によってそれらを敏感に感知できるようになることから、平衡感覚の向上に効果的である。また、メカノセプターは刺激を受けないと徐々に機能が低下するため、本発明品はメカノセプターの機能維持においても有効と考えられる。
【００４６】
身体の平衡感覚が良くなると、高齢者や身体が不自由な方などにとっては転倒や躓きの予防となる。また、スポーツの分野でも身体の姿勢を安定させたり、一定の姿勢を維持したりすることに効果があり、例えば球技であればコントロールの向上などが期待できる。
【００４７】
足の親指を効果的に使い重心位置が裸足の状態に近づくと、浮き指やＯ脚などの改善予防に繋がる。また、それらが原因の腰痛や肩こり、頭痛などの改善も期待できる。
【００４８】
（第２の実施の形態）
図８（ａ）は、足２に履かれた第２の実施の形態に係る靴下２０を示している。図８（ｂ）は、図８（ａ）におけるＢ矢視図である。
【００４９】
図８（ｂ）に示されているように、靴下２０は、親指５に当接する部分とそれ以外の指２１、２２、２３、２４に当接する部分とに二股に分かれた足先部２５を有している。そして、靴下２０は、足裏３に当接する編組織２６のうち、親指５の下面に当接する部分の編組織（親指下編組織）２７が、周囲の編組織２６よりも厚く形成されている。
【００５０】
図９は、第２の実施の形態に係る靴下２０を製造するにあたり、親指部分を厚くする方法の一例である。図９（ａ）に示すように筒状に編み上げた第１中間材３０を作る。次に図９（ｂ）に示すように、第１中間材３０の先端部を図示の形状に切ることで、第２中間材３１を作る。次に第２中間財３１の先端部を重ね合わせ、縫合することで第３中間材３２を作る。そして、第３中間材３２を靴下２０に仕上げる。このような方法によっても、第２の実施の形態に係る靴下２０を製作することが可能である。
【００５１】
図８に示すように、第２の実施の形態に係る靴下２０は、足先部２５が親指５に当接する部分２７とそれ以外の指２１〜２４に当接する部分とに二股に分かれているので、靴下２０を履いた際に靴下２０の厚い部分の編組織（親指下編組織）２７が確実に親指５の下面に当接する。さらに、足の親指５が靴下２０の二股に分かれた親指部分に被覆されているので、運動中に親指下編組織２７が親指５の下面からずれにくい。したがって、より確実に歩行・走行等の際に体重が足の親指５を経由して地面に伝わる。そのため、長期間に渡って足の親指５を効果的に使うこととなり、裸足に近いバランスのとれた直立や歩行が可能となる。
【００５２】
（第３の実施の形態）
図１０（ａ）は、足２に履かれた第３の実施の形態に係る靴下４０を示している。図１０（ｂ）は、図１０（ａ）におけるＣ矢視図である。
【００５３】
図１０（ｂ）に示されているように、靴下４０は、５本指５、２１、２２、２３、２４がそれぞれ当接する５つの部分にわかれた足先部４２を有している。そして、靴下４０は、足裏３に当接する編組織４６のうち、親指５の下面に当接する部分の編組織（親指下編組織）４１が、周囲の編組織４６よりも厚く形成されている。
【００５４】
第３の実施の形態に係る靴下４０は、５本指５、２１〜２４がそれぞれ当接する５つの部分に分かれた足先部４２を有するので、靴下４０を履いた際に親指下編組織４１が確実に親指５の下面に当接する。そして、足の五本指５、２１〜２４が靴下４０の５つに分かれた足先部４２によってそれぞれ被覆されているので、運動中に親指下編組織４１が親指５の下面からずれにくい。したがって、より確実に歩行・走行等の際に体重が足の親指５を経由して地面に伝わり易くなる。そのため、長期間に渡って足の親指５を効果的に使うこととなり、裸足に近いバランスのとれた直立や歩行が可能となる。
【符号の説明】
【００５５】
１：靴下（第１の実施の形態）
４：編組織
５：親指
６：編組織（親指下編組織）
２０：靴下（第２の実施の形態）
２６：編組織
２７：編組織（親指下編組織）
４０：靴下（第３の実施の形態）
４１：編組織（親指下編組織）
４６：編組織
【図１】
2020097798.tif 000003
【図２】
2020097798.tif 000004
【図３】
2020097798.tif 000005
【図４】
2020097798.tif 000006
【図５】
2020097798.tif 000007
【図６】
2020097798.tif 000008
【図７】
2020097798.tif 000009
【図８】
2020097798.tif 000010
【図９】
2020097798.tif 000011
【図１０】
2020097798.tif 000012
【手続補正書】
【提出日】令和1年5月7日(2019.5.7)
【手続補正１】
【補正対象書類名】特許請求の範囲
【補正対象項目名】請求項１
【補正方法】変更
【補正の内容】
【請求項１】
靴下であって、
足裏に当接する編組織のうち、親指の下面に当接する編組織が、踵や小趾球など親指以外の下面に当接する編組織よりも厚く形成され、直立の際には体重が踵、小趾球、親指の３ヶ所に分散されて地面に伝わり、歩行の際には体重が親指に伝わり易くなることを特徴とする靴下。
【手続補正２】
【補正対象書類名】明細書
【補正対象項目名】００１２
【補正方法】変更
【補正の内容】
【００１２】
第１の発明の靴下は、足裏に当接する編組織のうち  親指の下面に当接する編組織が、踵や小趾球など親指以外の下面に当接する編組織よりも厚く形成され、直立の際には体重が踵、小趾球、親指の３ヶ所に分散されて地面に伝わり、歩行の際には体重が親指に伝わり易くなることを特徴とする。
【手続補正書】
【提出日】令和1年8月24日(2019.8.24)
【手続補正１】
【補正対象書類名】特許請求の範囲
【補正対象項目名】全文
【補正方法】変更
【補正の内容】
【特許請求の範囲】
【請求項１】
靴下であって、
親指の下面に当接する編組織が、踵や小趾球など親指以外の下面や下面以外の編組織よりも厚く形成され、直立の際には体重が踵、小趾球、親指の３ヶ所に分散されて地面に伝わり、歩行の際には体重が親指に伝わり易くなることを特徴とする靴下。
【請求項２】
前記靴下は、親指に当接する部分とそれ以外の指に当接する部分とに二股に分かれた足先部を有することを特徴とする、請求項１に記載された靴下。
【請求項３】
前記靴下は、５本指がそれぞれ当接する５つの部分に分かれた足先部を有することを特徴とする、請求項１に記載された靴下。
【手続補正２】
【補正対象書類名】明細書
【補正対象項目名】００１２
【補正方法】変更
【補正の内容】
【００１２】
第１の発明の靴下は、親指の下面に当接する編組織が、踵や小趾球など親指以外の下面や下面以外の編組織よりも厚く形成され、直立の際には体重が踵、小趾球、親指の３ヶ所に分散されて地面に伝わり、歩行の際には体重が親指に伝わり易くなることを特徴とする。
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
親指の下面に当接する親指下編組織が、踵や小趾球など親指以外の下面や下面以外の編組織よりも厚く形成された靴下であって、底の軟らかい靴又はスリッパなどを履いた際にも足の親指を効果的に使えるようになり、直立時には体重が踵、小趾球、親指の３ヶ所に分散されて地面に伝わり、歩行時には体重が親指に伝わり易くなる靴下。
【請求項２】
前記親指下編組織は、フェルト、ポリウレタン、シリコーン、エラストマー、ゴム等の樹脂を張り付けられたり挟み込まれたりして構成される、請求項１に記載された靴下。
【請求項３】
前記靴下は、親指に当接する部分とそれ以外の指に当接する部分とに分かれた足先部を有する、請求項１又は２に記載された靴下。
【手続補正２】
【補正対象書類名】明細書
【補正対象項目名】００１２
【補正方法】変更
【補正の内容】
【００１２】
本発明の靴下は、親指の下面に当接する親指下編組織が踵や小趾球など親指以外の下面や下面以外の編組織よりも厚く形成され、底の軟らかい靴又はスリッパなどを履いた際にも足の親指を効果的に使えるようになり、直立時には体重が踵、小趾球、親指の３ヶ所に分散されて地面に伝わり、歩行時には体重が親指に伝わり易くなるものである。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】